(57)【特許請求の範囲】
【請求項１】
リール本体の左右側板間に設けられ、釣糸が巻回されるスプールと、
前記リール本体に設けられ、スプールを回転駆動する駆動モータと、
前記スプールの回転軸に対して略平行となるように回転可能に支持され、前記駆動モータの出力を調整する第１操作部及び第２操作部を具備した支軸と、
を有する魚釣用電動リール。
【請求項２】
前記第１操作部と第２操作部は、前記左右の側板に振り分け設置されていることを特徴とする請求項１に記載の魚釣用電動リール。
【請求項３】
前記第１操作部と第２操作部は、前記支軸の両端に設けられ、前記支軸の略中央に、前記第１操作部と第２操作部の操作角度を検知する角度センサを設置したことを特徴とする請求項２に記載の魚釣用電動リール。
【請求項４】
前記第１操作部は前記左右側板間に配設され、前記第２操作部は前記左右側板の内、いずれか一方側に配設されていることを特徴とする請求項１に記載の魚釣用電動リール。
【請求項５】
前記第１操作部と前記第２操作部は、互いに異なる形状、又は大きさが異なることを特徴とする請求項１から４のいずれか１項に記載の魚釣用電動リール。
【請求項６】
前記第１操作部と前記第２操作部の少なくとも一方は、その形状が略円筒型であることを特徴とする請求項５に記載の魚釣用電動リール。
【請求項７】
前記第１操作部と前記第２操作部の少なくとも一方は、その形状がレバー型であることを特徴とする請求項５に記載の魚釣用電動リール。
【請求項８】
前記第１操作部及び前記第２操作部の内、少なくとも一方の操作部は、前記支軸に対して着脱可能であることを特徴とする請求項１から７のいずれか１項に記載の魚釣用電動リール。
【請求項９】
前記支軸に対して着脱可能な操作部は、前記左側板側及び右側板側に対して、付け替え可能であることを特徴とする請求項８に記載の魚釣用電動リール。
【請求項１０】
前記第１操作部及び前記第２操作部の内、一方の操作部は、前記リール本体と略面一になる閉塞部材によってカバーされることを特徴とする請求項１から９のいずれか１項に記載の魚釣用電動リール。
【請求項１１】
前記第１操作部及び第２操作部を具備する支軸は、前記左右側板間に設置される制御ケースに回転可能に支持されることを特徴とする請求項１から１０のいずれか１項に記載の魚釣用電動リール。
【発明の詳細な説明】
【技術分野】
【０００１】
本発明は、魚釣用電動リールに関する。
【背景技術】
【０００２】
従来、魚釣用電動リールは、主に深場の釣りに適用させるべく、仕掛けの放出から巻き取りに至るまで、釣竿を船縁に装着された竿掛けに置いたままの状態で行えるように構成されたものが多いが、最近では、手持ち状態で操作が行えるように、よりコンパクト化された構成も製品化されている。
【０００３】
例えば、魚釣用電動リールのスプールを巻き取り操作する（モータ出力を連続的に可変操作する）ための操作部材を、様々な位置に配置することが知られている。例えば、特許文献１には、リール本体の側板に、モータ出力を連続的に可変させるレバータイプの操作部材を回動可能に支持した構成が開示されている。また、特許文献２には、制御ケースの上面から円板状の回転摘み（操作部材）の一部を露出させ、上方から親指を押し付けながら回転操作することで、モータ出力を連続的に可変させる構成が開示されている。
【先行技術文献】
【特許文献】
【０００４】
【特許文献１】特許第２９７７９７８号
【特許文献２】特開２００３−９２９５９号
【発明の概要】
【発明が解決しようとする課題】
【０００５】
上記したように、最近の魚釣用電動リールでは、ルアーフィッシングに用いられる魚釣用（ベイトキャスティング）リールと同様、手持ち状態で操作することが可能なタイプも望まれているが、従来のモータ出力を調整する操作部材の配置を工夫した魚釣用電動リールでは、操作性の面でさらに改良すべき余地がある。具体的には、前記特許文献１に開示されているタイプの操作部材では、釣竿とともにリール本体を把持した手で、釣糸巻き取り操作を行うことはできない。また、特許文献２に開示されているタイプの操作部材では、片手で釣糸巻き取り操作は行えるものの、操作部分が制御ケース内に組み込まれている（露出部分が少ない）ため、揺れる船の上で置き竿状態にしたときの操作が難しく、誤作動させてしまう可能性がある。また、手持ち状態においては、釣り人の疲労度、癖、特有の誘い動作などにより、リール本体を右手と左手で持ちかえることがあるが、その場合、操作部材（操作部）に指が届き難かったり、操作しづらくなることがある。
【０００６】
本発明は、上記した問題に着目してなされたものであり、実釣時の状況等に応じて、釣竿とリール本体の保持状態を変化させても、操作性に優れた魚釣用電動リールを提供することを目的とする。
【課題を解決するための手段】
【０００７】
上記した目的を達成するために、本発明に係る魚釣用電動リールは、リール本体の左右側板間に設けられ、釣糸が巻回されるスプールと、前記リール本体に設けられ、スプールを回転駆動する駆動モータと、前記スプールの回転軸に対して略平行となるように回転可能に支持され、前記駆動モータの出力を調整する第１操作部及び第２操作部を具備した支軸と、を有することを特徴とする。
【０００８】
上記した構成の魚釣用電動リールでは、リール本体に、モータ出力を調整する操作部が複数設けられているため、釣竿とリール本体の保持状態を状況に応じて変化させても、モータ出力の調整を容易に行うことができ、操作性の対応に優れた構成となる。この場合、第１操作部及び第２操作部を具備した支軸は、スプールの回転軸に対して略平行な方向に回転可能に支持されていることから、第１操作部及び第２操作部は、共に釣竿の延出方向に沿った方向に回転（回動）操作することが可能となり、操作時において指が左右方向にずれることがなく、操作性が良好で把持バランスの向上が図れる。
【０００９】
なお、上記した構成において、支軸は、各操作部に対応して設けられていても良いが、１つの支軸上に各操作部が配設された構成であっても良く、支軸は中間で分断されたような構成であっても良い。また、上記した第１操作部及び第２操作部は、その操作領域が、リール本体の左右方向で異なる位置に存在するものであれば良く、例えば、１つの支軸上で隣接して設置された構成、左右側板に振り分けて設置された構成、左右側板の間といずれかの側板側に設置された構成等が該当する。また、第１操作部及び第２操作部は、形状が同一であるもの、形状が異なるもの、大きさが異なるもの、形状も大きさも異なるものであっても良い。すなわち、リール本体の大きさ、対称魚、使用態様等に応じて、第１操作部及び第２操作部の配置態様、構成については、適宜変形される。
【発明の効果】
【００１０】
本発明によれば、実釣時の状況等に応じて、釣竿とリール本体の保持状態を変化させても、操作性に優れた魚釣用電動リールが得られる。
【図面の簡単な説明】
【００１１】
【図１】本発明の第１の実施形態に係る魚釣用電動リールの平面図。
【図２】図１に示した魚釣用電動リールをハンドル側から見た側面図。
【図３】図１に示した魚釣用電動リールを後方側から見た後面図。
【図４】図１に示した魚釣用電動リールの内部機構を部分的に示した平面図。
【図５】図１のＡ−Ａ線に沿う断面図。
【図６】図１に示した魚釣用電動リールの内部駆動機構を側方から見た概略図。
【図７】図１のＢ−Ｂ線に沿う断面図。
【図８】制御ケース内に収容される制御部の構成を示すブロック図。
【図９】釣竿とともにリール本体を把持した状態で第１操作部を操作する状態を示す図。
【図１０】図９を側方から見た図。
【図１１】図１に示した魚釣用電動リールにおいて、サミング操作している状態を示す図。
【図１２】図１に示した魚釣用電動リールにおいて、第１操作部の操作方法の一例を示す図。
【図１３】図１に示した魚釣用電動リールにおいて、第１操作部の操作方法の別の例を示す図。
【図１４】本発明の第２の実施形態に係る魚釣用電動リールの平面図。
【図１５】本発明の第３の実施形態に係る魚釣用電動リールの平面図。
【図１６】本発明の第４の実施形態に係る魚釣用電動リールの平面図。
【図１７】図１６に示す第１操作部及び第２操作部が設けられた支軸部分の概略構成を示す図であり、（ａ）は図１６の操作部材の構成を示す図、（ｂ）は第２操作部の変形例を示す図。
【図１８】図１６に示す構成において、第２操作部を閉塞した状態を示す平面図。
【図１９】本発明の第５の実施形態に係る魚釣用電動リールの平面図。
【図２０】本発明の第６の実施形態に係る魚釣用電動リールの平面図。
【図２１】図２０のＣ−Ｃ線に沿う断面図。
【図２２】図２０のＤ−Ｄ線に沿う断面図。
【発明を実施するための形態】
【００１２】
以下、図面を参照しながら、本発明に係る魚釣用電動リールの実施形態について説明する。  
図１から図８は本発明の第１の実施形態を示す図であり、図１は平面図、図２は図１に示した魚釣用電動リールをハンドル側から見た側面図、図３は図１に示した魚釣用電動リールを後方側から見た後面図、図４は内部機構を部分的に示した平面図、図５は図１のＡ−Ａ線に沿う断面図、図６は内部駆動機構を側方から見た概略図、図７は図１のＢ−Ｂ線に沿う断面図、そして、図８は制御ケース内に収容される制御部の構成を示すブロック図である。  
なお、以下の説明において、前後方向、左右方向、上下方向は、図１及び図２に記載の方向と定義する。
【００１３】
図１に示すように、本実施形態に係る魚釣用電動リール１は、左右のフレーム３ａ，３ｂに左右カバー４ａ，４ｂを取着して構成される左右側板５Ａ，５Ｂを具備したリール本体５を有している。リール本体５を構成する一方の側板（右側板５Ｂ）側には、巻取り操作される手動ハンドル６が設けられており、左右側板５Ａ，５Ｂ間には、釣糸が巻回されるスプール７が、回転軸であるスプール軸７ａ（図７参照）を中心に回転可能に支持されている。また、本実施形態では、図６及び図７に示すように、スプール７の前方側における左右側板５Ａ，５Ｂ間に駆動モータ８を保持しており、スプール７は、手動ハンドル６の巻取り操作および駆動モータ８の回転駆動によって、動力伝達機構１０を介して釣糸巻取り方向に回転駆動される。
【００１４】
なお、駆動モータ８については、スプール７の内部に設置する構成であっても良いが、本実施形態のように、スプール７の前方に設置することで、スプール７の糸巻き量を確保しつつ、リール本体５を可及的にコンパクト化することが可能となる。また、動力伝達機構１０については、駆動モータ８の回転駆動力を減速してスプール７側に伝達する機能（減速機構１０２および伝達ベルト１０３（図４参照）などによって果たされる）、駆動モータ８が回転駆動しても手動ハンドル６を連れ回しさせない機能や手動ハンドル６の逆回転を防止する機能（ラチェット１０４を含む）などを備えた公知のものによって構成することが可能である。また、そのような動力伝達機構１０については、左側板５Ａ側に配設されていても良いし、右側板５Ｂ側に配設されていても良く、或いは、左右側板それぞれに振り分けて配設されていても良い。なお、図中（特に図４）、符号１１６は、ハンドル６に結合されたハンドル軸、符号１１８は、ハンドル軸１１６に回転可能に支持されたドライブギヤ、符号１２０は、ドライブギヤ１１８に噛合するピニオンであり、これらは前述した動力伝達機構１０を構成する。また、図中、符号１２５は、魚釣時にスプール７から釣糸が繰り出された際にスプール７の回転にドラグ力を付与する公知のドラグ機構であり、リール本体５とハンドル６との間には、ドラグ機構１２５によるドラグ力の調整を行なうための星型のドラグ調整ノブ（スタードラグ）１３９が設けられている。
【００１５】
また、スプール７の前方の左右側板５Ａ，５Ｂ間には、スプール７に対して均等に釣糸を巻回する機能を備えた公知のレベルワインド機構１４２（図６および図７参照）が設置されている。さらに、リール本体５を構成する左右側板５Ａ，５Ｂ間のスプール７の上方には、駆動モータ８を制御する制御部１００（制御基板１００Ａ，１００Ｂを有する）を収容した箱型の制御ケース１５が配設されている。本実施形態の制御ケース１５は、リール本体を構成する左右側板５Ａ，５Ｂの表面と面一状になるように構成されており、前後方向の長さ寸法が左右方向の長さ寸法よりも長く設定されている。
【００１６】
また、リール本体５内には、前記ピニオン１２０を軸方向に移動させてスプール７を釣糸巻き取り状態／フリー回転状態に切り換える公知のクラッチ機構１７（図４及び図６参照）が配置されている。このクラッチ機構１７は、動力伝達機構１０に介在されて手動ハンドル６および駆動モータ８からの動力伝達を継脱する機能を備えており、本実施形態では、右側板５Ｂ側に設置されている。このクラッチ機構１７を構成するクラッチプレート１７ａには、動力伝達をＯＮ状態からＯＦＦ状態に切り換えるクラッチＯＦＦ切換部材１８と、動力伝達をＯＦＦ状態からＯＮ状態に切り換えるクラッチＯＮ切換部材１９が係合している。
【００１７】
本実施形態におけるクラッチＯＦＦ切換部材１８は、スプール７をサミングしながら操作が可能となるように、スプール７の後方側の左右側板５Ａ，５Ｂ間に橋設された構成となっており、図７に示す状態から、その表面となる操作部１８ａに親指を載置して下方に押し下げ操作することで、クラッチ機構１７をＯＮ状態からＯＦＦ状態に切り換えるよう構成されている。このクラッチＯＦＦ切換部材１８は、図６に示される振り分け保持バネ２００によって、図７に示すクラッチＯＮ位置とクラッチＯＦＦ位置（図示せず）との間で振り分け保持される。
【００１８】
また、本実施形態におけるクラッチＯＮ切換部材１９は、右側板５Ｂ側に設置されており、振り分け保持バネ２００（図６参照）によって、クラッチＯＮ位置とクラッチＯＦＦ位置との間で揺動可能となるよう振り分け保持されている。この場合、クラッチＯＮ切換部材１９は、クラッチＯＮ状態では、図６に示すように、右側板５Ｂの表面と略面一状となり、クラッチＯＦＦ状態では、右側板５Ｂの表面から突出するようになっている。そして、クラッチＯＮ切換部材１９は、スプール７に巻回された釣糸に対して親指の腹部でサミング操作している状態から容易にＯＮ操作できるように（左側板の後端側を支点として親指が届き易いように）、巻回されている釣糸の側方でやや後方側に設置されていることが好ましい。  
なお、クラッチＯＮ切換部材１９は、上記のように揺動される機械式以外にも、電気式（例えば、ソレノイドを利用したもの）で構成されていても良い。また、クラッチＯＦＦ切換部材１８と一体部材で構成されていても良い。
【００１９】
前記リール本体５には、駆動モータ８に対して電力を供給するための給電部２０が設けられている。この給電部２０は、左側板５Ａの前方側の下面領域に形成されており、この給電部２０に対しては、着脱可能な携帯バッテリ２２（図９，図１０参照）を装着したり、或いは、足元に置いたバッテリや釣り船に設置されている電源部から電力供給される給電コードが装着される。
【００２０】
前記制御ケース１５は、図７に示すように、スプール７の上方で、その回転軸（この回転軸としては、本実施形態ではスプール７の外側に駆動モータ８が配置されているためスプール軸７ａが該当するが、スプール７の内部に駆動モータ８が配置される別の形態ではスプール軸７ａが存在しないためモータ８の回転軸が該当する）近傍からレベルワインド機構１４２および駆動モータ８を覆うような大きさを備えている。
【００２１】
また、制御ケース１５の後方部分には、駆動モータ８の出力を調整する操作部材３０が配置されている。本実施形態の操作部材３０は、制御ケース１５の後方に回転可能に支持された支軸３１と、この支軸３１に設けられる２つの操作部３２，３３を備えており、それぞれを個別に操作してモータの出力を調整できるように構成されている（以下、支軸３１に設けられた２つの操作部を第１操作部３２，第２操作部３３と称する）。
【００２２】
この場合、第１操作部３２は、制御ケース１５の中央部分（左右側板５Ａ，５Ｂの間）に設置され、第２操作部３３は、右側板５Ｂ側に設置されている。具体的には、制御ケース１５の後方側には、その中央領域に、制御ケース１５の後端縁から前方側に向かって延び、制御ケース１５の後端縁で開口した凹陥部（開放部）１５Ａが設けられており、この凹陥部１５Ａを横切るようにして前記支軸３１が回転可能に支持されている。前記支軸３１は、前記スプール７の回転軸（スプール軸７ａ）と略平行で、その両側が制御ケース１５に対して回転可能に支持された状態となっており、第１操作部３２は、支軸３１の中央部において、凹陥部１５Ａ内に納まるように設置され、第２操作部３３は、支軸３１の右端部側において、右側板側５Ｂの上面側に露出するように設置されている。
【００２３】
本実施形態の第１操作部３２は、下側から回転操作可能であり、かつ、上方からリール本体を押さえ付けた状態でも操作性が良好となるように、略円筒形状に構成されており、その両端が前記支軸３１によって、制御ケース１５に対して回転可能に両軸支持された状態となっている。具体的には、その外表面（回転表面）が、左右側板間で、スプール７を露出させる開口領域に面するように支持されており、リール本体を把持保持した状態で、実際に操作する方向は、略前後方向Ｄ１となる成分、及び略上下方向Ｄ２となる成分を含むように支持されている（図１及び図３参照）。このため、凹陥部１５Ａに収容されるように設置された略円筒形状の第１操作部３２に対しては、スプール７上のどの位置でサミング操作していても、その指（親指）を、支障なくスムーズに第１操作部３２に当て付けることができると共に、制御ケースの表面に載置していても第１操作部３２に当て付けることができ、容易に回転操作（モータの出力調整操作）することが可能となる。また、第１操作部３２が左右側板５Ａ，５Ｂの中央領域に位置することで、リール本体５の重心に対する把持位置のバランスが良くなり、操作性が良く、疲れ難い構成とすることが可能となり、右手、左手のどちらの手で把持しても共通の感覚が得られるようになる。
【００２４】
なお、前記第１操作部３２の略円筒形状とは、内部が中実であっても良いし、全体或いは部分的に空洞部があるものを含む概念である。また、その外形状については、正確な円筒形状は勿論、周囲に凹凸が形成されていたり、指でつまんだり、当て付けることが可能な突起部が形成されたものであっても良い。或いは、軸方向の中間部分が膨出していたり、窪んでいるなど、軸方向に親指の腹部が当接できて回転操作ができるような外形状を備えたものであっても良い。また、略円筒形状に構成された第１操作部３２については、制御ケース１５の表面から部分的に突出していても良いし（図１０参照）、制御ケース（リール本体）との間で、少なくとも一端側の回転表面が略面一状にされていても良い。
【００２５】
また、前記制御ケース１５に、第１操作部３２とスプール７との間で、第１操作部の下方を覆うように、保護カバー（誤動作防止部材）１５ａを設けておくことが好ましい。このような保護カバー１５ａを設けておくことで、釣糸を巻き取り操作する際、釣糸に付着したゴミや海水が第１操作部３２に当たることを防止して、誤動作が生じることを防止することが可能となる。この場合、保護カバー１５ａは、制御ケースと一体部品であっても良いし、金属の薄板材などを制御ケースに接合しても良い。
【００２６】
前記操作部材３０を構成する第２操作部３３は、制御ケース１５に回転可能に支持された支軸３１の右端部側に装着されている。本実施形態の第２操作部３３は、第１操作部３２とは異なる形状、具体的には、指で摘まんで操作できるように、レバー形状に構成されており、支軸３１に装着された状態で、右側板５Ａの上面側で露出するように設置されている。この第２操作部３３の操作する方向は、前記第１操作部３２の略前後方向Ｄ１と同じ方向となる。
【００２７】
前記第１操作部３２、及び第２操作部３３は、共通の支軸３１に装着されており、その支軸３１の左端部には、各操作部の操作角度を検知する検知手段、具体的には、角度センサ１３０が設置されている。この角度センサ１３０は、制御ケース１５内に設けられた収容部にシールされた状態で組み込まれており、支軸３１の回転位置に応じた操作位置信号を出力する。すなわち、角度センサ１３０は、第１操作部３２及び第２操作部３３の操作位置に応じて操作信号を出力し、モータ８の出力は、第１操作部３２及び第２操作部３３の操作位置に応じて調整することが可能となっている。
【００２８】
なお、上記したように、前記支軸３１は、前記スプール７の回転軸（スプール軸７ａ）と略平行となるように回転可能に支持されているため、前記第１操作部３２及び第２操作部３３は、略前後方向（釣竿の方向；矢印Ｄ１に示す方向）に変位できるようになっている。特に、第１操作部３２は、リール本体を把持した状態で操作することから、第１操作部３２に親指を当接させた際、親指の位置が大きく横にずれることがなく、リール本体の重心や給電部２０にかかる力（給電コードに引っ張られる力や携帯バッテリの重量負荷などで、釣竿Ｒの長手軸を中心に回転負荷による力）によるねじれ負荷に対し、操作性が低下したり疲れ易くなることがなくなる。この場合、第１操作部３２を回転させた際の指（親指）の位置の横方向のずれを考慮すると、上記した略平行の範囲については、スプール７の回転軸に対して±３０°の範囲内であれば良い。すなわち、±３０°の範囲内であれば、リール本体５を把持保持した状態で、第１操作部３２を自由に回転しても、指（親指Ｔ）の位置が横方向にずれ難くなり、リール本体を把持保持した際のバランスが悪くなることがなくなる。なお、支軸については、第１操作部や第２操作部の回転（回動）中心軸として定義することも可能である。すなわち、そのような回転（回動）中心軸が、スプール７の回転軸に対して±３０°の範囲内となるように、第１操作部や第２操作部が支持されたものであっても良い。
【００２９】
また、本実施形態のリール本体５は、釣竿とともに片手で把持して操作可能な大きさに構成されており、上記したような回転可能な第１操作部３２は、リール本体５を、竿取付部５ａを介して釣竿Ｒに装着した際に、図９に示すように、釣竿Ｒとともにリール本体５を把持保持した状態の手の親指Ｔが届く位置に配設されている。
【００３０】
上記した制御ケース１５には、図７に示されるように、駆動モータ８の駆動を制御する制御部１００が収容されており、第１操作部３２及び第２操作部３３の回転操作量に応じて駆動モータ８の出力を調整するようになっている。この場合、制御部１００は、各操作部３２，３３を前方に向けて回動操作することで、駆動モータ８の出力が上昇するように設定されている。これにより、釣糸の巻き取りをする際、サミングしている親指をそのまま前方に延ばして、第１操作部３２を押し上げるような操作をすることで釣糸の巻き取り操作が行えるようになり、指の動きが単純化され、一連の探り操作をする際の操作性の向上が図れるようになる。
【００３１】
上記した第１操作部３２、及び第２操作部３３は、共通の支軸３１によって同期駆動されることとなるが、各操作部の回転操作量と駆動モータ８の出力との関係については任意である。本実施形態では、各操作部３２，３３の基準位置をモータの出力値０として、１２０°前方に回転操作した際、モータ出力がＭａｘになるように設定されている。すなわち、前方方向に向けて操作した際に増速とすることで、釣竿とリール本体を持つ手に負荷がかかる高速巻き取り時に、より前方を把持できるので、把持保持性が高くなり、操作性が良く、疲れ難くなる。  
もちろん、各操作部３２，３３については、後方に向けて回転操作した際に、駆動モータ８の出力が上昇するように設定しても良い。このような構成によれば、第１操作部３２では、スプール７をサミングしている親指の第一関節を折り曲げる動作をするだけで、サミング操作をＯＮからＯＦＦにすると同時に、第１操作部３２を手前側に回転操作（駆動モータの増速回転）することができ操作性の良い構成となる。
【００３２】
前記制御ケース１５の表面には、繰り出された釣糸の長さ（糸長情報）などを表示する表示部（液晶表示部）１６が設けられており、また、その周囲には、各種の情報が設定可能な複数の操作ボタン１６ａ，１６ｂが配設されている。なお、本実施形態において、操作ボタン１６ａ，１６ｂは、図１に示されるように、制御ケース１５の上面において、表示部１６と第１操作部３２との間で、且つ釣竿Ｒとともにリール本体５を把持保持した状態で親指が届く位置とされている。
【００３３】
ここで、前記制御ケース１５に収容される制御部１００の構成について、図８を参照して説明する。  
図８は、上記した構成の魚釣用電動リールの動作を制御する制御部１００の構成を示すブロック図である。
【００３４】
制御ケース１５に収容される制御部１００は、魚釣用電動リールの動作を制御するＣＰＵ（Central Processing Unit）１１０、糸長を計測したり、駆動モータの出力を可変制御するための各種プログラムや設定情報などを記憶したＲＯＭ（Read Only Memory）１１１、一時記憶領域としてのＲＡＭ（Random Access Memory）１１２を実装した制御基板（マイクロコンピュータ）及び各種駆動回路を実装した回路基板を備えており、制御基板は、Ｉ／Ｏポート１１５を介して、各作動要素との間で信号の送受信がなされ、動作が制御されるようになっている。なお、本構成では、省スペース化のため、制御部１００と表示部１６とは上下方向に重なるように配置されている（図７参照）。また、制御部１００は、制御基板１００Ａ、及び回路基板１００Ｂを上下方向に配置することによって構成されている。
【００３５】
前記制御基板１００Ａとの間では、各操作部３２，３３の操作量を検知する検知手段、具体的には、操作部３２，３３の操作角度に応じて操作位置信号を出力する前記角度センサ１３０、スプール７に巻回されている釣糸の繰り出し量を検知することが可能な糸長計測装置１４０、制御ケース１５上に設けられた液晶表示部１６に対して各種の情報を表示させる表示制御回路１６０、制御ケース１５上に設けられた操作ボタン１６ａ，１６ｂ、及び駆動モータ８の出力を停止状態から高出力値まで連続的に増減調整するモータ駆動回路１７０との間で信号の送受信がされるよう構成されている。そして、前記ＣＰＵ１１０は、ＲＯＭ１１１に格納されている所定のプログラムを実行し、これに応じて生成される制御信号を、Ｉ／Ｏポート１１５を介して上記した各作動要素に供給することで各作動要素を制御し、魚釣用電動リール全体を制御する機能を有する。
【００３６】
また、前記ＲＯＭ１１１は、ＣＰＵ１１０によって実行される各種プログラムや、制御処理に必要とされるデータ（例えば、糸長計測装置１４０から入力される検知信号に基づいて糸長を計測する演算プログラム、操作部材２５の操作角度とそれに対応して駆動モータ８の回転速度を可変させるデューティ比を特定する可変制御テーブル、液晶表示部１６で文字や数字などの画像を表示させるための画像表示データなど）が記憶されている。また、前記ＲＡＭ１１２は、作業領域を備えており、前記プログラムが作動している際に、処理手順やデータなどを一時的に記憶する機能を備えている。
【００３７】
前記操作ボタン１６ａ，１６ｂは、例えば、投入した仕掛けを所望の深さで停止させる深さ情報、駆動モータ８の出力の可変範囲を変更する出力範囲設定情報など、釣り人から各種の情報を受け付ける。
【００３８】
前記糸長計測装置１４０は、スプール７が釣糸の繰り出し／巻き取りで回転駆動された際、例えば、回転部分に装着されたマグネットと、これを検知する磁気センサによって実際の回転量や回転方向を検知し、その検知信号を生成する。
【００３９】
また、前記モータ駆動回路１７０は、スプール７を回転駆動する駆動モータ８を駆動制御する機能を備える。具体的には、モータ駆動回路１７０は、例えば、前記ＣＰＵ１１０からの制御信号（ＰＷＭ信号；パルス幅変調信号）に基づいて、駆動モータに対する駆動電流通電時間率（デューティ比）を可変制御し、駆動モータ８を停止状態（ＯＦＦ状態）から高速回転状態（Ｍａｘ状態）まで連続的に増減調節する。なお、前記ＣＰＵ１１０からは、操作部３２，３３の初期位置（ＯＦＦ位置）から実際の操作量を検知する角度センサ１３０による検知信号に基づいて、角度毎に設定されているデューティ比に関する制御信号が出力される。
【００４０】
前記表示制御回路１６０は、前記ＣＰＵ１１０の制御に基づいて駆動され、液晶表示部１６に対して、例えば、現在の釣糸の繰り出し量、仕掛けを投入してからの時間、駆動モータ８の駆動速度（インジケータによる表示でも良い）、或いは、操作方法やメッセージなど、釣り人に対して各種情報を表示させる機能を有する。
【００４１】
各操作部３２，３３の操作回転角を検出するための角度センサ１３０は、支軸３１の端部に設置されており、それぞれの操作部３２，３３の操作角度に応じた信号を生成する機能を備えたものであれば良く、例えば、操作部材の操作量に応じた抵抗値の変化を出力するポテンショメータを備えたもの、或いは、操作量に応じたパルスを生成するエンコーダを備えたものなど、様々な構造のものを適用することが可能である。
【００４２】
次に、上記した構成の魚釣用電動リールの作用、効果について、図９から図１３を参照して説明する。
【００４３】
上記したように、モータ８の出力を調整する操作部材３０は、操作部が複数（本実施形態では第１操作部３２及び第２操作部３３の２つ）あるため、釣竿とリール本体の保持状態（釣竿とリール部分を右手のみで持つ場合や左手のみで持つ場合、置き竿にする場合、釣竿を持つ手とは別の手で操作する場合など）を、状況に応じて変化させても、操作性の対応に優れた構成となる。
【００４４】
すなわち、本実施形態では、第１操作部３２は、左右側板５Ａ，５Ｂ間に設置されているため、釣竿Ｒとともにリール本体５を保持しても、図９及び図１０に示すように、安定した状態でリール本体を保持しつつ、親指Ｔを第１操作部３２に位置させることができ、モータの出力調整操作を安定して片手で行うことが可能となる。この場合、図１１に示すように、親指Ｔでスプールをサミングしながら、片手で釣竿をシャクリ操作したり、あおり操作している状況で魚信があった場合、図１２に示すように、そのまま親指Ｔを第１操作部３２に当接させることで直ちに巻き取り操作に移行することが可能となる。また、第１操作部３２は、指で転がすことが可能な略円筒形状に構成されていることから、図１０及び図１３に示すように、持ち竿状態のまま指の腹で転がすことが容易に行えるようになり、魚への誘い巻きなど、デリケートなタッチで巻き取り操作が行えるようになる。
【００４５】
また、本実施形態では、第２操作部３３を右側板側５Ｂ側に設置しているため、第１操作部３２の操作時に邪魔になることはなく、また、第２操作部３３は、第１操作部３２とは異なる形状（レバー形状）としているため、状況に応じた使い分け操作が容易に行えるとともに、感覚による使い分け操作も容易に行えるようになる。例えば、持ち竿状態、及び釣竿を竿掛け部に設置した置き竿状態を想定したり、探りモード（微調整操作）と仕掛け回収モード（粗調整操作）を想定した際、状況に応じて、その釣り人にとって操作性に優れた操作部を選択することが可能となる。特に、本実施形態では、第２操作部３３をレバー型としているため、置き竿状態における操作性が良好になる（通常、置き竿時は、船の揺れに応じて操作部も揺れることから、レバー型にした方が、そのような使い分け操作（複合操作）をする上で操作し易い構成となる）。
【００４６】
また、本実施形態では、１つの共通の支軸３１に、第１操作部３２及び第２操作部３３を設置しているため、各操作部の操作位置（操作状態）の同期が図れると共に、操作角度を検知する検知手段（角度センサ１３０）を１つ設置するだけで良くなり、構造を簡略化して故障がし難く、低コスト化することが可能となる。さらに、支軸３１を制御ケース１５に支持したため、制御ケース部分で予めユニット化することができ、様々なタイプのリール本体に容易に適用することができ、コスト削減が図れると共に、メンテナンス性の向上が図れる。
【００４７】
なお、上記した構成では、第２操作部３３を右側板５Ｂ側に設置したが、左側板５Ａ側に設置しても良く、ハンドル６については、左側板５Ａ側に設置しても良い。また、第２操作部３３は、指で摘まむことが可能なレバー形式としたが、第１操作部３２と同様に、略円筒状に構成しても良い。この場合、操作性が良くなるように、第１操作部３２よりも大きい略円筒形状にすることが好ましい（後述する図１９参照）。
【００４８】
次に、本発明の別の実施形態について説明する。なお、以下に例示する実施形態では、上述した第１の実施形態と同様な構成要素については、同一の参照符号を付し、詳細な説明については省略する。
【００４９】
図１４は、本発明の第２の実施形態に係る魚釣用電動リールの平面図である。  
本実施形態の操作部材３０Ａは、制御ケース１５に上述した凹陥部１５Ａを形成することなく、支軸３１Ａを制御ケース１５の後方に回転可能に支持し、その両側（左側板側、及び右側板側）に第１操作部３２Ａ、及び第２操作部３３Ａを振り分け設置している。この場合、前記第１操作部３２Ａは、指で転がして操作が行える略円筒形状に構成されており、第２操作部３３Ａは、指で摘まんで操作が行えるレバー形状に構成されている。  
なお、略円筒形状の第１操作部３２Ａは、その操作領域が全て露出するように設置されていても良いし、一部（例えば上半分）が制御ケース１５の表面から露出するように設置されたものであっても良い。また、左側板５Ａには、第１操作部３２Ａの一部が配置されるように切欠き部が形成されていても良い。
【００５０】
さらに、制御ケース後方の中央領域には、角度センサ１３０が収容されており、共通の支軸３１Ａの操作角度を検知するようになっている。  
このように、２つの操作部を共通の支軸３１で左右側板側に振り分け設置したことで、リール本体のバランスの向上が図れるようになり、また、支軸３１Ａの中央に角度センサ１３０を設置したことで、構造を簡略化して両操作部３２Ａ，３３Ａの操作角度を検知することが可能となる。また、本実施形態の構成によれば、例えば、右手で釣竿の竿先側を握持し、左手をリール本体５の左側板側に添えた状態で釣竿をあおり操作する際、安定した操作状況を維持しながら巻き取り操作を容易に行うことが可能となる。
【００５１】
図１５は、本発明の第３の実施形態に係る魚釣用電動リールの平面図である。  
本実施形態の操作部材３０Ｂは、制御ケース後方の左側板側に突出するようにして、第１操作部３２Ｂ、及び第２操作部３３Ｂを一体化した支軸３１Ｂを回転可能に支持している。この場合、軸方向の内側となる第１操作部３２Ｂは、リール本体を把持した状態で容易に出力調整ができるように、制御ケース上において指で転がして操作が行える略円筒形状に構成されており、それよりも軸方向外側となる第２操作部３３Ｂは、制御ケースから左側板５Ａの上面領域に突出して、指で摘まんで操作が行えるレバー形状に構成されている。  
なお、略円筒形状の第１操作部３２Ｂは、その操作領域が全て露出するように設置されていても良いし、一部（例えば上半分）が制御ケース１５の表面から露出するように設置されたものであっても良い。また、左側板５Ａには、第１操作部３２Ｂ、及び第２操作部３３Ｂの一部が配置されるように切欠き部が形成されていても良い。
【００５２】
また、制御ケース後方の中央領域には、角度センサ１３０が収容されており、共通の支軸３１Ｂの操作角度を検知するようになっている。  
このように、２つの操作部３２Ｂ，３３Ｂを隣接した状態で一体化し、これを共通の支軸３１に設置したことで、より構造の簡略化が図れるようになる。また、このような操作部材３０Ｂについては、右側板側に設置しても良い。
【００５３】
図１６及び図１７は、本発明の第４の実施形態を示す図であり、図１６は、平面図、図１７は、図１６に示す第１操作部及び第２操作部が設けられた支軸部分の概略構成を示す図であり、（ａ）は図１６の構成を示す図、（ｂ）は第２操作部の変形例を示す図である。  
本実施形態の操作部材３０Ｃは、上述した第２実施形態と同様、第１操作部３２Ｃ及び第２操作部３３Ｃが左右側板に振り分け設置されているが、少なくとも一方の操作部は、別の形式の操作部に変更して着脱できるように構成されている（本実施形態では、両方の操作部が変更できるよう構成されている）。
【００５４】
具体的には、前記操作部材３０Ｃを構成する支軸３１Ｃの両端には、空洞状に形成された操作部（それぞれ略円筒状に構成された第１操作部３２Ｃ，第２操作部３３Ｃが該当する）が嵌入されるようになっており、各操作部は、支軸３１Ｃの各端部に嵌入された後、着脱可能な袋ナット３６によって締め付け固定される。このため、袋ナット３６を治具等によって外し、略円筒状に構成された第２操作部３３Ｃを、図１７（ｂ）に示すように、レバー状に構成された第２操作部３３Ｃ´とし、再び袋ナット３６を締め付けることで、各操作部を、別の形態の操作部に容易に付け替えすることが可能となる。  
【００５５】
このような構成によれば、釣り人の好みに応じて、異なる形状、或いは大きさの操作部にすることが可能となる。なお、図１８に示すように、一方の操作部を、別の操作部に付け替えるのではなく、単に取り外すようにしても良い。この場合、支軸３１Ｃの露出する部分にリール本体（制御カバー）と略面一になる閉塞部材３８を装着することで、単一操作部３２Ｃを備えた操作部材３０Ｃとすることができ、釣り人の好みに応じて、操作部の形状、大きさ、設置位置を選択することができる。
【００５６】
図１９は、本発明の第５の実施形態に係る魚釣用電動リールの平面図である。  
本実施形態の操作部材３０Ｄは、第１操作部３２Ｄを略円筒形状、第２操作部３３Ｄを第１操作部よりも大きな略円筒形状としており、これらを支軸３１Ｄの両端に設置して左右側板に振り分けた構成を示している。  
このように、釣り人によっては、レバータイプの操作部よりも、転がすタイプの操作部を好むケースもあり、釣り人の好みに応じた操作部とすることも可能である。
【００５７】
なお、本実施形態においても、上記した第４実施形態のように、操作部を付け替えできるように構成されていても良い。
【００５８】
図２０から図２２は、本発明の第６の実施形態を示す図であり、図２０は平面図、図２１は、図２０のＣ−Ｃ線に沿う断面図、図２２は図２０のＤ−Ｄ線に沿う断面図である。
【００５９】
上述した実施形態では、いずれの操作部材も制御ケース部分に配設されていたが、操作部材は、制御ケースと関係ない部分に配設しても良い。  
本実施形態では、スプール７の後方となる左右側板５Ａ，５Ｂの間に、モータの出力を調整する操作部材３０ＥとクラッチＯＦＦ切換部材１８Ａを、振り分けて並列して設置している。すなわち、操作部材３０Ｅは、左側板５Ａを挿通するように回転可能に設置された支軸３１Ｅと、支軸３１Ｅの両端に設置された第１操作部３２Ｅ及び第２操作部３３Ｅを備えている。
【００６０】
前記第１操作部３２Ｅは、左側板５Ａの内面から中央部分で終端するように突出した略円筒形状に構成されており、前記クラッチＯＦＦ切換部材１８Ａは、右側板５Ｂの内面から中央部分で終端するように設置されている（両者の先端は、当接することなく、並列して設置される）。また、第１操作部３２Ｅは、支軸３１Ｅとともに回転可能に支持されており、その支軸３１Ｅの基端側にギヤ列４０〜４２が設置されて、最終ギヤ４２の支軸に角度センサ１３０が装着されている。また、第２操作部３３Ｅは、左側板５Ａの外方に突出するレバー形状として構成されており、支軸３１Ｅによって、第１操作部３２Ｅと同期駆動されるよう構成されている。
【００６１】
このように、操作部材については、リール本体を構成する側板に設置しても良く、また、本実施形態のように、側板を挟むようにして、第１操作部と第２操作部を設置することも可能である。上記したような構成によれば、スプールをサミングしている親指を後方にずらすことで、第１操作部３２Ｅによってモータの出力を調整することが可能であり、かつ、置き竿等でモータを駆動する場合、第２操作部３３Ｅを回動操作すれば良い。なお、第２操作部３３Ｅについては、第１操作部３２Ｅと同様、略円筒状に構成しても良いし、クラッチＯＦＦ操作部１８Ａを別の位置に設置して、第２操作部を右側板側に設置するなど、適宜変形することが可能である。
【００６２】
以上、本発明の実施形態について説明したが、本発明は、駆動モータの出力を調整する操作部材が、複数の操作部を具備した構造であれば良く、その設置位置、設置方法、及び操作方向など、適宜変形することが可能である。また、各操作部の設置位置や形状については、リール本体の大きさ（手持ちタイプ、中型タイプ、大型タイプ）や対象魚に応じて適宜変形することが可能であり、各操作部を支持する支軸についても、各操作部に対応して設けても良く、操作部の装着方法、及び、リール本体や制御ケースに対する支持方法についても適宜変形することが可能である。また、操作部の操作角度を検知する検知手段についても、操作部毎に設置しても良い。さらに、操作部は、リール本体に３つ以上設けられていても良い。
【符号の説明】
【００６３】
１  魚釣用電動リール
５  リール本体
５Ａ，５Ｂ  左右側板
６  手動ハンドル
７  スプール
７ａ  スプール軸（回転軸）
８  駆動モータ
１５  制御ケース
３０，３０Ａ〜３０Ｅ  操作部材
３１，３１Ａ〜３１Ｅ  支軸
３２，３２Ａ〜３２Ｅ  第１操作部
３３，３３Ａ〜３３Ｅ  第２操作部
【図１】
0005752497.tif 000002
【図２】
0005752497.tif 000003
【図３】
0005752497.tif 000004
【図４】
0005752497.tif 000005
【図５】
0005752497.tif 000006
【図６】
0005752497.tif 000007
【図７】
0005752497.tif 000008
【図８】
0005752497.tif 000009
【図９】
0005752497.tif 000010
【図１０】
0005752497.tif 000011
【図１１】
0005752497.tif 000012
【図１２】
0005752497.tif 000013
【図１３】
0005752497.tif 000014
【図１４】
0005752497.tif 000015
【図１５】
0005752497.tif 000016
【図１６】
0005752497.tif 000017
【図１７】
0005752497.tif 000018
【図１８】
0005752497.tif 000019
【図１９】
0005752497.tif 000020
【図２０】
0005752497.tif 000021
【図２１】
0005752497.tif 000022
【図２２】
0005752497.tif 000023